(57)【要約】      （修正有）【課題】編集処理によって音楽トラックを分割しても、連続性を保持する。【解決手段】コンテンツデータ読出部３と、互いに連続でない複数のコンテンツを１つのファイルとして生成し、且つコンテンツ単位のファイル上における相対位置情報を生成する制御部４とを備える。制御部４は、読出部３によって相対位置情報を読み出す際、生成されたファイルの構成コンテンツが媒体上で不連続な領域からなる場合、コンテンツ単位を不連続点にてパーツに分割し、各パーツの絶対位置情報を生成する。また読出ファイルの構成コンテンツの相対位置情報とパーツ及び絶対位置情報テーブル記憶部６に記憶する。読出ファイルはパーツ及び絶対位置情報によって展開メモリ７に展開され、パーツに対してデータ編集処理部８によって分割、連結、消去、移動を含む編集処理が行われる。【選択図】図１
2005196879.tif 000002
【特許請求の範囲】
【請求項１】
記録データに対する編集性を考慮して分割、連結、消去、移動が可能とされたファイルシステムに基づいて、記録媒体に記録されたコンテンツデータのファイル管理を行うファイル管理装置において、
互いに連続でない複数のコンテンツ単位を纏めて１つのファイルを生成するファイル生成手段と、
上記ファイル生成手段にてファイルを生成する際、上記コンテンツ単位を管理するための管理情報として上記ファイル上における各コンテンツ単位の相対位置情報を生成する相対位置情報生成手段と、
上記相対位置情報を上記記録媒体に記録する位置情報記録手段と
を備えることを特徴とするファイル管理装置。
【請求項２】
上記生成されたファイル及び記録媒体に記録された相対位置情報を読み出す読出手段と、
上記読出手段によって相対位置情報を読み出す際、上記ファイル生成手段にて生成されたファイルを構成する各コンテンツ単位が記録媒体上にて不連続な領域からなる場合、コンテンツ単位を不連続点にてパーツに分割するとともに、各パーツの記録媒体上における絶対位置情報を生成する分割手段と、
上記読み出したファイルを構成するコンテンツ単位の相対位置情報と上記パーツ及び絶対位置情報とを関連付ける対応テーブルを記憶するテーブル記憶手段と、
上記読み出したファイルを上記パーツ及び絶対位置情報によって展開する一時記憶手段と、
上記一時記憶手段に展開されたパーツに対して分割、連結、消去、移動を含む編集処理を施すデータ編集手段と
を備えることを特徴とする請求項１記載のファイル管理装置。
【請求項３】
上記コンテンツファイルには、音楽ファイル及び映像ファイルが含まれることを特徴とする請求項１記載のファイル管理装置。
【請求項４】
上記コンテンツファイルが音楽ファイルである場合、上記コンテンツ単位とは楽曲毎の区切りとしてのトラックであり、上記コンテンツファイルが映像ファイルである場合、上記コンテンツ単位とはチャプタであることを特徴とする請求項１記載のファイル管理装置。
【請求項５】
記録データに対する編集性を考慮して分割、連結、消去、移動が可能とされたファイルシステムに基づいて、記録媒体に記録されたコンテンツデータのファイル管理を行うファイル管理方法において、
互いに連続でない複数のコンテンツ単位を纏めて１つのファイルを生成するファイル生成工程と、
上記ファイル生成工程にてファイルを生成する際、上記コンテンツ単位を管理するための管理情報として上記ファイル上における各コンテンツ単位の相対位置情報を生成する相対位置情報生成工程と、
上記相対位置情報を上記記録媒体に記録する位置情報記録工程と
を有することを特徴とするファイル管理方法。
【請求項６】
上記生成されたファイル及び記録媒体に記録された相対位置情報を読み出す読出工程と、
上記読出工程にて相対位置情報を読み出す際、上記ファイル生成工程にて生成されたファイルを構成する各コンテンツ単位が記録媒体上にて不連続な領域からなる場合、コンテンツ単位を不連続点にてパーツに分割するとともに各パーツの記録媒体上における絶対位置情報を生成する分割工程と、
上記読み出したファイルを構成するコンテンツ単位の相対位置情報と上記パーツ及び絶対位置情報とを関連付ける対応テーブルに基づいて上記読み出したファイルを展開する工程と、
上記工程にて展開されたパーツに対して分割、連結、消去、移動を含む編集処理を施すデータ編集工程と
を有することを特徴とする請求項５記載のファイル管理方法。
【発明の詳細な説明】
【技術分野】
【０００１】
本発明は、ファイル管理装置及びファイル管理方法に関し、特に、編集性を重視したフォーマットでデータが記録された記録媒体に対してデータを記録するファイル管理装置及びファイル管理方法に関する。
【背景技術】
【０００２】
近年、ディスク等の記録媒体は、大容量化のための技術が各種開発されている。また、１つのメディアについて多様なデータ、例えば、オーディオデータ、コンピュータ用途のデータ等を自在に記録再生できるようにすることも求められている。しかし、汎用的なメディアの開発に関しては、旧来の記録再生装置等の互換性、整合性も重要とされる。また、物理的にみても、旧来の資産を有効利用できることが好ましい。
【０００３】
現在広く普及しているミニディスク（Mini Disc；ＭＤ（登録商標））を例にあげる。ミニディスクは、公知のとおり、直径６４ｍｍの光磁気ディスクであって、音楽等のオーディオデータを記録再生できる。ミニディスクでは、オーディオデータは、ＡＴＲＡＣ方式によってデータ量が１／５〜１／１０に圧縮されて記録される。オーディオデータを例にとると、８０〜１６０分程度の記録が可能となっている。また、ミニディスクは、記録データに対して、分割（ディバイド）、連結（コンバイン）、消去（イレーズ）、移動（トラックナンバムーブ）等、高い編集性を実現するファイルシステムになっている。
【０００４】
ＣＤ−ＤＡ（Compact Disc Digital Audio）、ＤＶＤ（Digital Versatile Disc）等のパッケージメディアに記録された音楽、映像等のコンテンツデータをパーソナルコンピュータ（ＰＣ）にて再生し、ＰＣのＨＤＤ（Hard Disc Drive）を１次記録媒体として、２次記録媒体であるミニディスクに複製（コピー）又は移動（ムーブ）する技術が開示されている（例えば、特許文献１参照。）。
【０００５】
特許文献１では、ＰＣと端末間におけるデータ転送時に転送用データを暗号化し、更にコンテンツデータ（トラックとも呼ばれる楽曲等の単位となるデータ）を編集してもコンテンツの権利管理を行うこと、及びＳＤＭＩ（Secure Digital Music Initiative）方式におけるいわゆるチェックイン（権利譲渡）／チェックアウト（権利返却）の整合性をとることを実現している。
【０００６】
オーディオ用のミニディスクは、ユーザが容易に入手可能であることから、このミニディスクをコンピュータ用のデータストレージメディア等、音楽用途以外に幅広く利用できるようになると都合がよいのであるが、記録容量が１６０ＭＢ程度と小さいうえ、メディア固有のＩＤ等の著作権保護情報を記録する領域が用意されていない。そのため、広範囲なデータストレージとして音楽映像配信等に利用することを想定した場合、配信したコンテンツの著作権保護等の要請に対応できないといった問題点がある。また、オーディオデータ記録領域以外の固有の管理領域による管理方式（ＰＴＯＣ（Premastered Table Of Contents）、ＵＴＯＣ（User Table Of Contents））を採用しているため、例えば、ＦＡＴシステム等の汎用のファイルシステム用途への対応が困難である。更に、ＵＴＯＣ管理下のトラックにオーディオ以外のデータを記録した場合、多くのオーディオ機器（ＭＤプレーヤ）で再生時に異音が発生する等の不具合が生じてしまう。つまり、オーディオ用ミニディスクを汎用的なストレージメディアとして利用することを想定した場合、記録容量、管理システム、著作権保護関係等の特殊情報、旧来機種での不具合等が問題になっていた。
【０００７】
ミニディスクシステムにおいてオーディオデータ以外のデータ記録を目的とした規格として、“ＭＤ−ＤＡＴＡ”、又は“ＭＤ−ＣＬＩＰ”と呼ばれるディスク規格が既に開発されているが、ＭＤ−ＤＡＴＡは、オーディオ用ＭＤとは異なる専用ディスクである点、また、ＭＤ−ＤＡＴＡ対応の専用の記録再生装置でないと利用できない点、記録容量が１４０ＭＢ程度である点等、上記要望を満たすものではない。また、ＭＤ−ＣＬＩＰは、オーディオ用ＭＤが使用でき、またＵＴＯＣ管理対象外であった内周部分を利用することから、従来のオーディオ機器において不都合はないが、汎用データ記録領域が２ＭＢ程度しかないために自ずと用途が限定されてしまっていた。
【０００８】
そこで、トラックピッチを狭くし、線速度及び変調方式を変更する等の改良を加えることで記録データの高密度化を実現し、更に、通常の記録領域と認証によって使用可能となる秘匿領域（セキュア領域）とを設けることによって、上述の不具合を解決した次世代ミニディスクが提案されている。これら次世代ミニディスクは、ＵＴＯＣとは異なる新たな管理データ構成を採用し、平文にて記録されていた従来ミニディスクと異なり、特定のデータは暗号化されて記録されるようになっている。次世代ミニディスクでは、著作権が発生する音楽コンテンツ、映像コンテンツ等のデータは、所定フォーマットでセキュア領域に記録され、セキュア領域を参照可能な装置によってのみ再生できるようになっている。新たな変調方式を採用したミニディスクでは、高音質の音楽データを長時間記録再生することを可能にしたことから、１枚のディスクで管理される楽曲数が膨大になっている。また、このミニディスクは、ＦＡＴファイルシステムを使ってデータを管理することによりコンピュータとの親和性が図られている。
【０００９】
ところが、ＦＡＴファイルシステム等のファイルシステムでは、一連の音楽ファイル又は映像ファイルを分割（ディバイド）、連結（コンバイン）、消去（イレーズ）、移動（トラックナンバムーブ）等によりクラスタ途中で分割したとき、分割したクラスタの一方を別領域に移動する必要があった。このとき、分割したファイル同士を連続再生することが困難になってしまう。また、例えば、音楽ファイルをトラック途中から再生する場合には、ディスク上のクラスタ番号を取得するためにクラスタの連続情報(クラスタリンクテーブル)を辿る必要があり、再生処理のための演算に時間がかかってしまっていた。また、逆方向再生を行う場合には、逆方向のクラスタリンクを作成しなければならず、多くのメモリを消費することも問題であった。
【００１０】
【特許文献１】特開２００２−３７３４７０号公報
【発明の開示】
【発明が解決しようとする課題】
【００１１】
本発明は、編集処理によって音楽トラックを分割してもディスク上における連続性を保持することができるファイル管理装置及びファイル管理方法を提供すること目的とする。
【課題を解決するための手段】
【００１２】
上述した目的を達成するために、本発明に係るファイル管理装置は、互いに連続でない複数のコンテンツ単位を纏めて１つのファイルを生成するファイル生成手段と、ファイル生成手段にてファイルを生成する際、コンテンツ単位を管理するための管理情報としてファイル上における各コンテンツ単位の相対位置情報を生成する相対位置情報生成手段と、相対位置情報を記録媒体に記録する位置情報記録手段とを備える。
【００１３】
本発明に係るファイル管理装置は、更に、生成されたファイル及び記録媒体に記録された相対位置情報を読み出す読出手段と、読出手段によって相対位置情報を読み出す際、ファイル生成手段にて生成されたファイルを構成する各コンテンツ単位が記録媒体上にて不連続な領域からなる場合、コンテンツ単位を不連続点にてパーツに分割するとともに、各パーツの記録媒体上における絶対位置情報を生成する分割手段と、読み出したファイルを構成するコンテンツ単位の相対位置情報とパーツ及び絶対位置情報とを関連付ける対応テーブルを記憶するテーブル記憶手段と、読み出したファイルをパーツ及び絶対位置情報によって展開する一時記憶手段と、一時記憶手段に展開されたパーツに対して分割、連結、消去、移動を含む編集処理を施すデータ編集手段とを備え、テーブル記憶手段に記憶された読み出したファイルを構成するコンテンツ単位の相対位置情報とパーツ及び絶対位置情報との関連付けに基づいて、一時記憶手段に展開されたデータに対して分割、連結、消去、移動等の編集を行う。
【００１４】
ここで、コンテンツファイルには、音楽ファイル及び映像ファイルが含まれ、コンテンツファイルが音楽ファイルである場合、コンテンツ単位とは楽曲毎の区切りとしてのトラックであり、コンテンツファイルが映像ファイルである場合、コンテンツ単位とはチャプタである。
【００１５】
また、上述した目的を達成するために、本発明に係るファイル管理方法は、互いに連続でない複数のコンテンツ単位を纏めて１つのファイルを生成するファイル生成工程と、ファイル生成工程にてファイルを生成する際、コンテンツ単位を管理するための管理情報としてファイル上における各コンテンツ単位の相対位置情報を生成する相対位置情報生成工程と、相対位置情報を記録媒体に記録する位置情報記録工程とを有する。
【００１６】
本発明に係るファイル管理方法は、更に、生成されたファイル及び記録媒体に記録された相対位置情報を読み出す読出工程と、読出工程にて相対位置情報を読み出す際、ファイル生成工程にて生成されたファイルを構成する各コンテンツ単位が記録媒体上にて不連続な領域からなる場合、コンテンツ単位を不連続点にてパーツに分割するとともに各パーツの記録媒体上における絶対位置情報を生成する分割工程と、読み出したファイルを構成するコンテンツ単位の相対位置情報とパーツ及び絶対位置情報とを関連付ける対応テーブルに基づいて読み出したファイルを展開する工程と、一時記憶手段に展開されたパーツに対して分割、連結、消去、移動を含む編集処理を施すデータ編集工程とを有することにより、読み出したファイルを構成するコンテンツ単位の相対位置情報とパーツ及び絶対位置情報との関連付けに基づいて、展開されたデータに対して分割、連結、消去、移動等の編集処理が行われる。
【発明の効果】
【００１７】
本発明に係るファイル管理装置及びファイル管理方法によれば、編集処理によって音楽トラックを分割してもディスク上における連続性を保持することができるファイル管理装置及びファイル管理方法を提供すること目的とする。
【発明を実施するための最良の形態】
【００１８】
本発明に係るファイル管理装置は、例えば、オーディオデータ、ＰＣデータ等のように異なるフォーマットで作成された異なるデータを扱うことができる記録媒体の記録再生装置である。記録媒体は、大容量記録が可能であることを特徴とした記録媒体であれば、半導体メモリ、ディスク状記録媒体等制限なく使用できるが、本具体例ではディスク状の光磁気記録媒体であるミニディスク（登録商標）を用いる。特に、本具体例として示すデータ記録装置は、従来のミニディスクのほか、トラックピッチを狭くし線速度及び変調方式を変更する等の改良を加えることで記録データの高密度化を実現し、更に、通常の記録領域と認証によって使用可能となる秘匿領域（セキュア領域）とを設けた次世代ミニディスクにも対応している。
【００１９】
この次世代ミニディスクは、ディスク記録時には平文にて記録されていた従来ミニディスクと異なり、データは暗号化されてディスク上に記録される。また、このミニディスクでは、著作権が発生する音楽コンテンツ、映像コンテンツ等のデータは、所定フォーマットで秘匿領域に記録され、この秘匿領域を参照可能な装置によってのみ再生できるようになっている。本具体例では、コンテンツとして音楽コンテンツを取り上げ、ＡＴＲＡＣ（登録商標）形式のオーディオデータがこの秘匿領域に記録可能な特定データとして扱われるものとする。ＭＰ３（MPEG1 Audio Layer-3）形式、ＷＭＡ（Windows Media Audio）形式等、ＡＴＲＡＣ以外のオーディオデータ、画像データ、テキストデータ等のデータは、通常記録領域に記録される。秘匿領域と通常記録領域とを有する次世代ミニディスクの詳細については後述する。
【００２０】
本発明の具体例として示すデータ記録再生装置１の概略を図１に示す。データ記録再生装置１は、ミニディスク２に記録されたコンテンツデータを読み出す読出部３と、読み出したコンテンツデータに対して、互いに連続でない複数のコンテンツ単位を纏めて１つのファイルを生成するとともに、ファイルを生成する際、コンテンツ単位を管理するための管理情報としてファイル上における各コンテンツ単位の相対位置情報を生成する処理を実行する制御部４とを備えている。制御部４は、読出部３によって相対位置情報を読み出す際、生成されたファイルを構成する各コンテンツ単位が記録媒体上にて不連続な領域からなる場合、コンテンツ単位を不連続点にて更にパーツに分割するとともに各パーツの記録媒体上における絶対位置情報を生成している。
【００２１】
また、読み出したファイルを構成するコンテンツ単位の相対位置情報とパーツ及び絶対位置情報とは、対応テーブルとしてテーブル記憶部６に記憶されている。これら読み出したファイルは、パーツ及び絶対位置情報によって一時記憶手段としての展開メモリ７に展開され、展開されたパーツに対してデータ編集部８によって、分割、連結、消去、移動を含む編集処理が行われる。制御部４にて生成された相対位置情報は、書込部５によってミニディスクの所定位置に書き戻される。
【００２２】
データ記録再生装置１におけるファイル管理について図２を用いて説明する。ＦＡＴファイルシステムでは、一連の音楽ファイル又は映像ファイルを分割（ディバイド）、連結（コンバイン）、消去（イレーズ）、移動（トラックナンバムーブ）等によりクラスタ途中で分割すると、分割したクラスタの一方が別領域に移動されてしまう。このとき、データ記録再生装置１は、音楽トラックを分割してもディスク上での連続性が崩れないよう、音楽ファイルの複数トラックを纏めて１つのファイルを生成し、ミニディスクの所定位置に記録する。このとき、データ記録再生装置１は、生成したファイルにおいて各音楽トラックを管理するための管理情報として新たに生成されるファイル上における各音楽トラックの相対位置情報を生成して記録する。
【００２３】
記録データに対して編集処理及び更新処理を行う際には、データ記録再生装置１は、生成されたファイル及び記録媒体に記録された相対位置情報を装置内の作業領域としてのメモリに読み出すのであるが、このとき、ファイルを構成する各音楽トラックが記録媒体上にて不連続なクラスタで構成される場合には、データ記録再生装置１は、音楽トラックを不連続点にて“パーツ”に分割するとともに各パーツの記録媒体上における絶対位置情報を生成し、音楽トラックのファイルにおける相対位置情報と絶対位置情報とを関連付ける対応テーブルを作成する。記録データに対する分割、連結、消去、移動等の編集処理及び更新処理は、展開メモリ７にて展開されたパーツの絶対位置情報に基づいて実行される。
【００２４】
データ記録再生装置１によるディスク読込時のファイル更新処理を図３を用いて説明する。図３において、トラック情報テーブル、パーツリンク情報、相対パーツ情報テーブル及びクラスタリンクは、ディスク上に記録された情報であり、パーツソートテーブル及び絶対パーツ情報テーブルは、展開メモリ７上に作成される情報である。データ記録再生装置１は、トラック情報テーブルによって参照される音楽トラックのパーツ番号からパーツリンクを参照する。ここには、１ファイルとして構成された各音楽トラックのパーツの開始相対クラスタ及びフレーム、終了相対クラスタ及びフレームが示されている。データ記録再生装置１は、各パーツを相対パーツ情報テーブルに示される順番にしたがってパーツソートテーブルにソートする。データ記録再生装置１は、クラスタリンクをトレースしながら相対クラスタ番号をカウントし、相対クラスタ番号がパーツの開始又は終了相対クラスタ番号と一致したとき、クラスタ番号を絶対パーツ情報テーブルに登録する。パーツの途中でクラスタが不連続だった場合には、このパーツを不連続点で分割し、分割された後半部分のパーツを新たなパーツとして絶対パーツ情報テーブルに登録する。
【００２５】
一方、ディスク書込時には、図４に示すように、データ記録再生装置１は、トラック情報テーブルによって参照される音楽トラックのパーツ番号からパーツリンクを参照する。このパーツリンク情報にて参照される各パーツを絶対パーツ情報テーブルに示される順番にしたがってパーツソートテーブルにソートする。データ記録再生装置１は、クラスタリンクをトレースしながら相対クラスタ番号をカウントし、クラスタ番号がパーツの開始又は終了クラスタ番号と一致したとき、相対クラスタ番号を相対パーツ情報テーブルに登録する。
【００２６】
このようにすることで、データ記録再生装置１は、編集処理によって音楽トラックを分割してもディスク上における連続性を保持することができるうえに、クラスタリンクのトレースを１回で済ませることができる。
【００２７】
以下、本発明の具体例として示すデータ記録装置について、図面を参照して詳細に説明する。本具体例にて適用するミニディスクにおいて秘匿領域に記録されるデータは、オーディオファイルであって、ここでは、ＡＴＲＡＣ（Adaptive TRansform Acoustic Coding）方式、ＡＴＲＡＣ３方式、ＡＴＲＡＣ３ｐｌｕｓ方式に基づくデータである。データ記録再生装置１は、図５に示すように、メディアドライブ部１１と、メモリ転送コントローラ１２と、クラスタバッファメモリ１３と、補助メモリ１４と、ＵＳＢインタフェース１５、１６と、ＵＳＢハブ１７と、システムコントローラ１８と、音声データ処理部１９とを備えている。データ記録再生装置１は、パーソナルコンピュータ（以下、ＰＣと記す。）１００と接続でき、ミニディスクをオーディオデータ記録メディアとして使用できるほか、ＰＣ等の外部ストレージとしても使用できる。
【００２８】
データ記録再生装置１におけるメディアドライブ部１１は、装填されたミニディスク９０に対する記録及び／又は再生を行う。メディアドライブ部１１の内部構成は、後段にて説明する。
【００２９】
メモリ転送コントローラ１２は、メディアドライブ部１１からの再生データ又はメディアドライブ部１１に供給する記録データの送受制御を行う。クラスタバッファメモリ１３は、メディアドライブ部１１によってミニディスク９０のデータトラックから高密度データクラスタ単位で読み出されたデータをメモリ転送コントローラ１２の制御に基づいてバッファリングする。補助メモリ１４は、メディアドライブ部１１によってミニディスク９０から読み出されたＵＴＯＣデータ等の各種管理情報、秘匿領域に記録される著作権保護のための情報、データ改竄チェックのための情報、限定的にアクセスを許可する外部機器情報等をメモリ転送コントローラ１２の制御に基づいて記憶する。
【００３０】
システムコントローラ１８は、ＵＳＢインタフェース１６、ＵＳＢハブ１７を介して接続されたＰＣ１００との間で通信可能であり、このＰＣ１００との間の通信制御を行って、書込要求、読出要求等のコマンドの受信、ステイタス情報、その他の必要情報の送信等を行うとともにデータ記録再生装置１全体を統括制御している。システムコントローラ１８は、例えば、ミニディスク９０がメディアドライブ部１１に装填されると、ミニディスク９０から管理情報等を読み出すようメディアドライブ部１１に指示し、メモリ転送コントローラ１２によって読み出されたＰＴＯＣ、ＵＴＯＣ等の管理情報等を補助メモリ１４に格納させる。システムコントローラ１８は、これらの管理情報を読み込むことによってミニディスク９０のトラック記録状態を把握している。また、記録されるコンテンツデータのファイル情報、及び記録されるコンテンツデータのコンテンツ単位毎の暗号化情報を含むコンテンツ管理情報を記録する領域をディスク初期化時にミニディスクの最内周の所定領域に確保する。
【００３１】
そして、システムコントローラ１８は、ＰＣ１００からあるＦＡＴセクタの読出要求があった場合、メディアドライブ部１１に対して、このＦＡＴセクタを含むデータクラスタの読出を実行する旨の信号を与える。読み出されたデータクラスタは、メモリ転送コントローラ１２によってクラスタバッファメモリ１３に書き込まれる。但し、既にＦＡＴセクタのデータがクラスタバッファメモリ１３に格納されていた場合、メディアドライブ部１１による読出は必要ない。このとき、システムコントローラ１８は、クラスタバッファメモリ１３に書き込まれている高密度データクラスタのデータから、要求されたＦＡＴセクタのデータを読み出す信号を与え、ＵＳＢインタフェース１５、ＵＳＢハブ１７を介して、ＰＣ１００に送信する、又はオーディオ再生処理するための制御を行う。
【００３２】
また、システムコントローラ１８は、ＰＣ１００から、あるＦＡＴセクタへの書込要求があった場合、メディアドライブ部１１に対して、補助メモリ１４に基づいてこのＦＡＴセクタを含むデータクラスタの読出を実行させる。読み出されたデータクラスタは、メモリ転送コントローラ１２によってクラスタバッファメモリ１３に書き込まれる。但し、既にこのＦＡＴセクタのデータがクラスタバッファメモリ１３に格納されていた場合は、メディアドライブ部１１による読出は必要ない。システムコントローラ１８は、ＰＣ１００から送信されたＦＡＴセクタのデータ（記録データ）をＵＳＢインタフェース１５を介してメモリ転送コントローラ１２に供給し、クラスタバッファメモリ１３上で該当するＦＡＴセクタのデータの書き換えを実行させる。
【００３３】
更にシステムコントローラ１８は、メモリ転送コントローラ１２に指示して、必要なＦＡＴセクタが書き換えられた状態でクラスタバッファメモリ１３に記憶されているデータクラスタのデータを記録データとしてメディアドライブ部１１に転送させる。このとき、メディアドライブ部１１は、装着されているミニディスクが対応している変調方式でデータクラスタの記録データを変調して書き込む。
【００３４】
ところで本具体例のように、ミニディスク９０が秘匿領域と通常記録領域とを有し、各領域に記録されるデータが予め決められている場合には、システムコントローラ１８は、記録再生するデータがオーディオトラックかデータトラックかに応じて指定された記録領域に基づいたアクセスをメディアドライブ部に指示することになる。データ記録再生装置１では、装着されたミニディスク９０に対して、ＰＣ用のデータ又はオーディオデータの何れか一方のみを記録許可し、これ以外のデータの記録を禁止する制御を行うようにもできる。すなわち、ＰＣ用のデータとオーディオデータとを混在しないように制御することもできる。
【００３５】
なお、本具体例として示すデータ記録再生装置１において、上述した記録再生制御は、データトラックを記録再生する際の制御であり、ＭＤオーディオデータ（オーディオトラック）を記録再生する際のデータ転送は、音声データ処理部１９を介して行われる。
【００３６】
音声データ処理部１９は、入力系として、例えば、ライン入力回路／マイクロフォン入力回路等のアナログ音声信号入力部、Ａ／Ｄ変換器、及びデジタルオーディオデータ入力部を備える。また、音声データ処理部１９は、ＡＴＲＡＣ圧縮エンコーダ／デコーダ、圧縮データのバッファメモリを備える。更に、音声データ処理部１９は、出力系として、デジタルオーディオデータ出力部、Ｄ／Ａ変換器及びライン出力回路／ヘッドホン出力回路等のアナログ音声信号出力部を備えている。
【００３７】
ミニディスク９０に対してオーディオトラックが記録されるのは、音声データ処理部１９にデジタルオーディオデータ（又は、アナログ音声信号）が入力される場合である。入力されたリニアＰＣＭデジタルオーディオデータ、或いはアナログ音声信号で入力された後、Ａ／Ｄ変換器で変換されて得られたリニアＰＣＭオーディオデータは、ＡＴＲＡＣ圧縮エンコードされ、バッファメモリに蓄積される。その後、所定タイミング（ＡＤＩＰクラスタ相当のデータ単位）でバッファメモリから読み出され、メディアドライブ部１１に転送される。メディアドライブ部１１では、転送された圧縮データをＥＦＭ変調方式又はＲＬＬ（１−７）ＰＰ変調方式で変調してミニディスク９０の秘匿領域にオーディオトラックとして書き込む。ＡＴＲＡＣ以外の圧縮方式で圧縮されたデータは、通常記録領域に一般データとして書き込まれる。
【００３８】
メディアドライブ部１１は、ミニディスク９０からオーディオトラックを再生する場合、再生データをＡＴＲＡＣ圧縮データ状態に復調して音声データ処理部１９に転送する。音声データ処理部１９は、ＡＴＲＡＣ圧縮デコードを行ってリニアＰＣＭオーディオデータとし、デジタルオーディオデータ出力部から出力する。或いは、Ｄ／Ａ変換器によりアナログ音声信号としてライン出力／ヘッドホン出力を行う。
【００３９】
なお、図５に示す構成は一例であって、例えば、データ記録再生装置１をＰＣ１００に接続してデータトラックのみ記録再生する外部ストレージ機器として使用する場合、音声データ処理部１９は不要になる。一方、オーディオ信号を記録再生することを主たる目的とする場合、音声データ処理部１９を備え、更にユーザインタフェースとして操作部及び表示部を備えることが好適である。また、ＰＣ１００との接続は、ＵＳＢに限らず、例えば、ＩＥＥＥ（The Institute of Electrical and Electronics Engineers,Inc.：アメリカ電気・電子技術者協会）の定める規格に準拠した、いわゆるＩＥＥＥ１３９４インタフェースのほか、汎用の接続インタフェースが適用できる。
【００４０】
次に、本具体例にて用いるミニディスク９０の仕様例について説明する。従来ミニディスク（及びＭＤ−ＤＡＴＡ）の物理フォーマットは、以下のように定められている。トラックピッチは、１．６μｍ、ビット長は、０．５９μｍ／ｂｉｔとなる。また、レーザ波長λは、λ＝７８０ｎｍであり、光学ヘッドの開口率は、ＮＡ＝０．４５としている。記録方式としては、グルーブ（ディスク盤面上の溝）をトラックとして記録再生に用いるグルーブ記録方式を採用している。また、アドレス方式としては、ディスク盤面上にシングルスパイラルのグルーブを形成し、このグルーブの両側に対して所定の周波数（２２．０５ＫＨｚ）で蛇行したウォブル（Wobble）を形成し、絶対アドレスを上記周波数を基準にＦＭ変調してウォブルドグルーブトラックに記録する方式をとっている。なお、本明細書では、ウォブルとして記録される絶対アドレスをＡＤＩＰ（Address in Pre-groove）ともいう。
【００４１】
従来のＭＤでは、メインデータ部である３２セクタにリンクセクタである４セクタを付加して合計３６セクタを１クラスタ単位として記録を行っている。上記ＡＤＩＰ信号はクラスタアドレス、セクタアドレスから構成される。上記クラスタアドレスは、８ビットのクラスタＨと８ビットのクラスタＬとから構成され、セクタアドレスは、４ビットのセクタから構成される。また、従来のミニディスクでは、記録データの変調方式としてＥＦＭ（８−１４変換）変調方式が採用されている。また、誤り訂正方式としては、ＡＣＩＲＣ（Advanced Cross Interleave Reed-Solomon Code）を用いている。データインタリーブには、畳み込み型を採用している。これにより、データの冗長度は、４６．３％となっている。
【００４２】
また、従来のミニディスクにおけるデータの検出方式は、ビットバイビット方式であって、ディスク駆動方式としては、ＣＬＶ（Constant Linear Velocity）が採用されている。ＣＬＶの線速度は、１．２ｍ／ｓである。記録再生時の標準のデータレートは、１３３ｋＢ／ｓ、記録容量は、１６４ＭＢ（ＭＤ−ＤＡＴＡでは、１４０ＭＢ）である。また、データの最小書換単位（単位クラスタ）は、上述のように３２個のメインセクタと４個のリンクセクタによる３６セクタで構成されている。
【００４３】
本具体例に用いるデータ記録再生装置１は、従来のミニディスクのほか、トラックピッチを狭くし線速度及び変調方式を変更する等の改良を加えることで記録データの高密度化を実現し、更に、通常の記録領域と認証によって使用可能となる秘匿領域（セキュア領域）とを設けた次世代ミニディスクにも対応している。次世代ミニディスクには、２つのタイプが提案されている。
【００４４】
次世代ＭＤ１は、上述した従来のミニディスクと記録媒体の物理的仕様は、同一である。そのため、トラックピッチは、１．６μｍ、レーザ波長λは、λ＝７８０ｎｍであり、光学ヘッドの開口率は、ＮＡ＝０．４５である。記録方式としては、グルーブ記録方式を採用している。また、アドレス方式は、ＡＤＩＰを利用する。このように、ディスクドライブ装置における光学系の構成やＡＤＩＰアドレス読出方式、サーボ処理は、従来のミニディスクと同様であるため、従来ディスクとの互換性が達成されている。次世代ＭＤ１は、記録データの変調方式として、高密度記録に適合したＲＬＬ（１−７）ＰＰ変調方式（ＲＬＬ；Run Length Limited、ＰＰ：Parity preserve/Prohibit rmtr（repeated minimum transition runlength））を採用している。また、誤り訂正方式としては、より訂正能力の高いＢＩＳ（Burst Indicator Subcode）付きのＲＳ−ＬＤＣ（Reed Solomon−Long Distance Code）方式を用いている。以上のデータ構造において、データインタリーブは、ブロック完結型とする。これによりデータの冗長度は、２０．５０％になる。また、データの検出方式として、ＰＲ（１，２，１）ＭＬによるビタビ復号方式を用いる。
【００４５】
ディスク駆動方式には、ＣＬＶ方式を用い、その線速度は、２．４ｍ／ｓとする。記録再生時の標準データレートは、４．４ＭＢ／ｓである。この方式を採用することにより、総記録容量を３００ＭＢにすることができる。変調方式をＥＦＭからＲＬＬ（１−７）ＰＰ変調方式とすることによって、ウインドウマージンが０．５から０．６６６となるため、１．３３倍の高密度化が実現できる。また、データの最小書換単位であるクラスタは、１６セクタ、６４ｋＢで構成される。このように記録変調方式をＣＩＲＣ方式からＢＩＳ付きのＲＳ−ＬＤＣ方式及びセクタ構造の差異とビタビ復号を用いる方式にすることで、データ効率が５３．７％から７９．５％となるため、１．４８倍の高密度化が実現できる。これらを総合すると、次世代ＭＤ１は、記録容量を従来ミニディスクの約２倍である３００ＭＢにすることができる。
【００４６】
一方、次世代ＭＤ２は、例えば、磁壁移動検出方式（ＤＷＤＤ：Domain Wall Displacement Detection）等の高密度化記録技術を適用した記録媒体であって、上述した従来ミニディスク及び次世代ＭＤ１とは、物理フォーマットが異なっている。次世代ＭＤ２は、トラックピッチが１．２５μｍ、ビット長が０．１６μｍ／ｂｉｔであり、線方向に高密度化されている。また、従来ミニディスク及び次世代ＭＤ１との互換をとるため、光学系、読出方式、サーボ処理等は、従来の規格に準じて、レーザ波長λは、λ＝７８０ｎｍ、光学ヘッドの開口率は、ＮＡ＝０．４５とする。記録方式は、グルーブ記録方式、アドレス方式は、ＡＤＩＰを利用した方式とする。また、筐体外形も従来ミニディスク及び次世代ＭＤ１と同一規格とする。
【００４７】
但し、従来ミニディスク及び次世代ＭＤ１と同等の光学系を用いて、上述のように従来より狭いトラックピッチ及び線密度（ビット長）を読み取る際には、デトラックマージン、ランド及びグルーブからのクロストーク、ウォブルのクロストーク、フォーカス漏れ、ＣＴ信号等における制約条件を解消する必要がある。そのため、次世代ＭＤ２では、グルーブの溝深さ、傾斜、幅等を変更した点が特徴的である。具体的には、グルーブの溝深さを１６０ｎｍ〜１８０ｎｍ、傾斜を６０°〜７０°、幅を６００ｎｍ〜８００ｎｍの範囲と定める。
【００４８】
また、次世代ＭＤ２は、記録データの変調方式として、高密度記録に適合したＲＬＬ（１−７）ＰＰ変調方式（ＲＬＬ；Run Length Limited、ＰＰ：Parity preserve/Prohibit rmtr（repeated minimum transition runlength））を採用している。また、誤り訂正方式としては、より訂正能力の高いＢＩＳ（Burst Indicator Subcode）付きのＲＳ−ＬＤＣ（Reed Solomon−Long Distance Code）方式を用いている。データインタリーブは、ブロック完結型とする。これによりデータの冗長度は、２０．５０％になる。またデータの検出方式は、ＰＲ（１，−１）ＭＬによるビタビ復号方式を用いる。また、データの最小書換単位であるクラスタは、１６セクタ、６４ｋＢで構成されている。
【００４９】
ディスク駆動方式には、ＺＣＡＶ（Zone Constant Angular Velocity）方式を用い、その線速度は、２．０ｍ／ｓとする。記録再生時の標準データレートは、９．８ＭＢ／ｓである。したがって、次世代ＭＤ２では、ＤＷＤＤ方式及びこの駆動方式を採用することにより、総記録容量を１ＧＢにできる。
【００５０】
本具体例に示す次世代ＭＤ１の盤面上のエリア構造例を図６、図７に模式的に示す。次世代ＭＤ１は、従来ミニディスクと同じ媒体であって、ディスクの最内周側は、プリマスタードエリアとして、ＰＴＯＣ（Premastered Table Of Contents）が設けられている。ここには、ディスク管理情報が物理的な構造変形によるエンボスピットとして記録されている。プリマスタードエリアより外周は、光磁気記録可能なレコーダブルエリアとされ、記録トラックの案内溝としてのグルーブが形成された記録再生可能領域である。このレコーダブルエリアの最内周側は、ＵＴＯＣ（User Table Of Contents）領域であって、このＵＴＯＣ領域には、ＵＴＯＣ情報が記述されるとともに、プリマスタードエリアとの緩衝エリアや、レーザ光の出力パワー調整等のために用いられるパワーキャリブレーションエリアが設けられている。
【００５１】
次世代ＭＤ２は、図７に示すように、高密度化を図るためにプリピットを用いない。したがって、次世代ＭＤ２には、ＰＴＯＣ領域がない。次世代ＭＤ２には、レコーダブルエリアの更に内周領域に、著作権保護のための情報、データ改竄チェックのための情報、他の非公開情報等を記録するユニークＩＤエリア（Unique ID；ＵＩＤ）が設けられている。このＵＩＤエリアは、次世代ＭＤ２に適用されるＤＷＤＤ方式とは異なる記録方式で記録されている。
【００５２】
なお、ここで説明した各ディスクには、音楽データ用のオーディオトラックとデータトラックとを混在記録することもできる。この場合、例えば、図８に示すように、データエリアに少なくとも１つのオーディオトラックが記録されたオーディオ記録領域ＡＡと、少なくとも１つのデータトラックが記録されたＰＣ用データ記録領域ＤＡとがそれぞれ任意の位置に形成されることになる。一連のオーディオトラックやデータトラックは、ディスク上で必ずしも物理的に連続して記録される必要はなく、複数のパーツに分割して記録されていてもよい。パーツとは、物理的に連続して記録される区間を示す。すなわち、ディスク上で物理的に離れた２つのＰＣデータ記録領域が存在する場合でも、データトラックの数としては１つの場合もあり、複数の場合もある。
【００５３】
続いて、図９及び図１０に基づいて、本具体例のディスクの管理構造を説明する。図９は、次世代ＭＤ１のデータ管理構造を示したものであり、図１０は、次世代ＭＤ２のデータ管理構造を示したものである。
【００５４】
次世代ＭＤ１では、上述したように、従来のミニディスクと同一の媒体であるため、次世代ＭＤ１では、従来ミニディスクで採用されているように書換不可能なエンボスピットによりＰＴＯＣが記録されている。このＰＴＯＣには、ディスクの総容量、ＵＴＯＣ領域におけるＵＴＯＣ位置、パワーキャリブレーションエリアの位置、データエリアの開始位置、データエリアの終了位置（リードアウト位置）等が管理情報として記録されている。
【００５５】
次世代ＭＤ１では、ＡＤＩＰアドレス００００〜０００２には、レーザの書込出力を調整するためのパワーキャリブレーションエリア（Rec Power Calibration Area）が設けられている。続く０００３〜０００５には、ＵＴＯＣが記録される。ＵＴＯＣには、トラック（オーディオトラック／データトラック）の記録・消去等に応じて書き換えられる管理情報が含まれ、各トラック及びトラックを構成するパーツの開始位置、終了位置等を管理している。また、データエリアにおいて未だトラックが記録されていないフリーエリア、すなわち書込可能領域のパーツも管理している。ＵＴＯＣ上では、ＰＣ用データ全体をＭＤオーディオデータによらない１つのトラックとして管理している。そのため、仮にオーディオトラックとデータトラックとを混在記録したとしても、複数のパーツに分割されたＰＣ用データの記録位置を管理できる。
【００５６】
また、ＵＴＯＣデータは、このＵＴＯＣ領域における特定のＡＤＩＰクラスタに記録され、ＵＴＯＣデータは、このＡＤＩＰクラスタ内のセクタ毎に、その内容が定義されている。具体的には、ＵＴＯＣセクタ０（このＡＤＩＰクラスタ内の先頭のＡＤＩＰセクタ）は、トラック又はフリーエリアにあたるパーツを管理しており、ＵＴＯＣセクタ１及びセクタ４は、トラックに対応した文字情報を管理している。また、ＵＴＯＣセクタ２には、トラックに対応した記録日時を管理する情報が書き込まれる。
【００５７】
ＵＴＯＣセクタ０は、記録されたデータや記録可能な未記録領域、更にデータの管理情報等が記録されているデータ領域である。例えば、ディスクにデータを記録する際、ディスクドライブ装置は、ＵＴＯＣセクタ０からディスク上の未記録領域を探し出し、ここにデータを記録する。また、再生時には、再生すべきデータトラックが記録されているエリアをＵＴＯＣセクタ０から判別し、そのエリアにアクセスして再生動作を行う。
【００５８】
なお、次世代ＭＤ１では、ＰＴＯＣ及びＵＴＯＣは、従来のミニディスクシステムに準拠する方式、ここではＥＦＭ変調方式により変調されたデータとして記録されている。したがって、次世代ＭＤ１は、ＥＦＭ変調方式により変調されたデータとして記録された領域と、ＲＳ−ＬＤＣ及びＲＬＬ（１−７）ＰＰ変調方式で変調された高密度データとして記録された領域とを有することになる。
【００５９】
また、ＡＤＩＰアドレス００３２に記述されるアラートトラックには、従来ミニディスクのディスクドライバ装置に次世代ＭＤ１を挿入したとしても、この媒体が従来ミニディスクのディスクドライバ装置に対応していないことを知らせるための情報が格納されている。この情報は、「このディスクは、この再生装置に対応していないフォーマットです。」等の音声データ、或いは警告音データとしてもよい。また、表示部を備えるディスクドライバ装置であれば、この旨を表示するためのデータであってもよい。このアラートトラックは、従来ミニディスクに対応したディスクドライバ装置でも読取可能なように、ＥＦＭ変調方式によって記録されている。
【００６０】
ＡＤＩＰアドレス００３４には、次世代ＭＤ１のディスク情報を表したディスクディスクリプションテーブル（Disc Description Table；ＤＤＴ）が記録される。ＤＤＴには、フォーマット形式、ディスク内論理クラスタの総数、媒体固有のＩＤ、このＤＤＴの更新情報、不良クラスタ情報等が記述される。
【００６１】
ＤＤＴ領域からは、ＲＳ−ＬＤＣ及びＲＬＬ（１−７）ＰＰ変調方式で変調された高密度データとして記録されるため、アラートトラックとＤＤＴとの間には、ガードバンド領域が設けられている。
【００６２】
また、ＲＬＬ（１−７）ＰＰ変調方式で変調された高密度データが記録される最も若いＡＤＩＰアドレス、すなわち、ＤＤＴの先頭アドレスには、ここを００００とする論理クラスタ番号（Logical Cluster Number；ＬＣＮ）が付される。１論理クラスタは、６５，５３６バイトであり、この論理クラスタが読み書き最小単位となる。なお、ＡＤＩＰアドレス０００６〜００３１は、リザーブされている。
【００６３】
続くＡＤＩＰアドレス００３６〜００３８には、認証によって公開可能となるセキュアエリア（Secure Area）が設けられている。このセキュアエリアによって、データを構成する各クラスタの公開可・不可等の属性を管理している。特に、このセキュアエリアでは、著作権保護のための情報、データ改竄チェックのための情報等を記録する。また、このほかの各種の非公開情報を記録することができる。この公開不可領域は、特別に許可された特定外部機器のみが限定的にアクセスできるようになっており、このアクセス可能な外部機器を認証する情報も含まれる。
【００６４】
ＡＤＩＰアドレス００３８からは、書込及び読取自由なユーザエリア（User Area）（任意データ長）とスペアエリア（Spare Area）（データ長８）とが記述される。ユーザエリアに記録されたデータは、ＬＣＮの昇順に並べたとき、先頭から２０４８バイトを１単位としたユーザセクタ（User Sector）に区切られており、ＰＣ等の外部機器からは、先頭のユーザセクタを００００とするユーザセクタ番号（User Sector Number；ＵＳＮ）を付してＦＡＴファイルシステムにより管理されている。
【００６５】
続いて、次世代ＭＤ２のデータ管理構造について図１０を用いて説明する。次世代ＭＤ２は、ＰＴＯＣエリアをもたない。そのため、ディスクの総容量、パワーキャリブレーションエリアの位置、データエリアの開始位置、データエリアの終了位置（リードアウト位置）等のディスク管理情報は、ＰＤＰＴ（Preformat Disc Parameter Table）として全てＡＤＩＰ情報に含まれて記録されている。データは、ＢＩＳ付きのＲＳ−ＬＤＣ及びＲＬＬ（１−７）ＰＰ変調方式で変調され、ＤＷＤＤ方式で記録されている。
【００６６】
また、リードインエリア及びリードアウトエリアには、レーザパワーキャリブレーションエリア（Power Calibration Area；ＰＣＡ）が設けられる。次世代ＭＤ２では、ＰＣＡに続くＡＤＩＰアドレスを００００としてＬＣＮを付ける。
【００６７】
また、次世代ＭＤ２では、次世代ＭＤ１におけるＵＴＯＣ領域に相当するコントロール領域が用意されている。図１０には、著作権保護のための情報、データ改竄チェックのための情報、他の非公開情報等を記録するユニークＩＤエリア（Unique ID；ＵＩＤ）が示されているが、実際には、このＵＩＤエリアは、リードイン領域の更に内周位置に、通常のＤＷＤＤ方式とは異なる記録方式で記録されている。
【００６８】
次世代ＭＤ１及び次世代ＭＤ２のファイルは、ともにＦＡＴファイルシステムに基づいて管理される。例えば、各データトラックは、それぞれ独自にＦＡＴファイルシステムをもつ。或いは、複数のデータトラックにわたって１つのＦＡＴファイルシステムを記録するようにもできる。
【００６９】
続いて、データ記録再生装置１におけるメディアドライブ部１１及び音声データ処理部１９の周辺構成について、図１１を用いて詳細に説明する。
【００７０】
メディアドライブ部１１は、ミニディスク９０を記録再生するために、特に、記録処理系として、従来ミニディスクの記録のためのＥＦＭ変調・ＡＣＩＲＣエンコードを実行する構成と、次世代ミニディスクに対して記録するためのＲＬＬ（１−７）ＰＰ変調・ＲＳ−ＬＤＣエンコードを実行する構成とを備える点が特徴的である。また、再生処理系として、従来ミニディスクの再生のためのＥＦＭ復調・ＡＣＩＲＣデコードを実行する構成と、次世代ミニディスクの再生にＰＲ（１，２，１）ＭＬ及びビタビ復号を用いたデータ検出に基づくＲＬＬ（１−７）復調・ＲＳ−ＬＤＣデコードを実行する構成を備えている点が特徴的である。
【００７１】
メディアドライブ部１１は、装填されたミニディスク９０をスピンドルモータ２１によってＣＬＶ方式又はＺＣＡＶ方式にて回転駆動する。記録再生時には、このミニディスク９０に対して、光学ヘッド２２からレーザ光が照射される。
【００７２】
光学ヘッド２２は、記録時に記録トラックをキュリー温度まで加熱するための高レベルのレーザ出力を行い、また再生時には、磁気カー効果により反射光からデータを検出するための比較的低レベルのレーザ出力を行う。このため、光学ヘッド２２は、レーザ出力手段としてのレーザダイオード、偏光ビームスプリッタや対物レンズ等からなる光学系及び反射光を検出するためのディテクタが搭載されている。光学ヘッド２２に備えられる対物レンズとしては、例えば２軸機構によってディスク半径方向及びディスクに接離する方向に変位可能に保持されている。
【００７３】
また、本具体例では、媒体表面の物理的仕様が異なる従来ミニディスク及び次世代ミニディスクに対して最大限の再生特性を得るために、両ディスクに対してデータ読取時のビットエラーレートを最適化できる位相補償板を、光学ヘッド２２の読取光光路中に設ける。
【００７４】
ミニディスク９０を挟んで光学ヘッド２２と対向する位置には、磁気ヘッド２３が配置されている。磁気ヘッド２３は、記録データによって変調された磁界をミニディスク９０に印加する。また、図示しないが光学ヘッド２２全体及び磁気ヘッド２３をディスク半径方向に移動させためのスレッドモータ及びスレッド機構が備えられている。
【００７５】
このメディアドライブ部１１では、光学ヘッド２２、磁気ヘッド２３による記録再生ヘッド系、スピンドルモータ２１によるディスク回転駆動系のほかに、記録処理系、再生処理系、サーボ系等が設けられる。記録処理系としては、従来ミニディスクに対する記録時にＥＦＭ変調、ＡＣＩＲＣエンコードを行う部位と、次世代ＭＤ１及び次世代ＭＤ２に対する記録時にＲＬＬ（１−７）ＰＰ変調、ＲＳ−ＬＤＣエンコードを行う部位とが設けられる。
【００７６】
また、再生処理系としては、従来ミニディスクの再生時にＥＦＭ変調に対応する復調及びＡＣＩＲＣデコードを行う部位と、次世代ＭＤ１及び次世代ＭＤ２の再生時にＲＬＬ（１−７）ＰＰ変調に対応する復調（ＰＲ（１，２，１）ＭＬ及びビタビ復号を用いたデータ検出に基づくＲＬＬ（１−７）復調）、ＲＳ−ＬＤＣデコードを行う部位とが設けられる。
【００７７】
光学ヘッド２２のミニディスク９０に対するレーザ照射によりその反射光として検出された情報（フォトディテクタによりレーザ反射光を検出して得られる光電流）は、ＲＦアンプ２４に供給される。ＲＦアンプ２４では、入力された検出情報に対して電流−電圧変換、増幅、マトリクス演算等を行い、再生情報としての再生ＲＦ信号、トラッキングエラー信号ＴＥ、フォーカスエラー信号ＦＥ、グルーブ情報（ミニディスク９０にトラックのウォブリングにより記録されているＡＤＩＰ情報）等を抽出する。
【００７８】
従来ミニディスクの再生時には、ＲＦアンプで得られた再生ＲＦ信号は、コンパレータ２５、ＰＬＬ回路２６を介して、ＥＦＭ復調部２７及びＡＣＩＲＣデコーダ２８で処理される。再生ＲＦ信号は、ＥＦＭ復調部２７で２値化されてＥＦＭ信号列とされた後、ＥＦＭ復調され、更にＡＣＩＲＣデコーダ２８で誤り訂正及びデインタリーブ処理される。オーディオデータであれば、この時点でＡＴＲＡＣ圧縮データの状態となる。このとき、セレクタ２９は、従来ミニディスク信号側が選択されており、復調されたＡＴＲＡＣ圧縮データがミニディスク９０からの再生データとしてデータバッファ３０に出力される。この場合、図５のオーディオ処理部１９に圧縮データが供給される。
【００７９】
一方、次世代ＭＤ１又は次世代ＭＤ２の再生時には、ＲＦアンプで得られた再生ＲＦ信号は、Ａ／Ｄ変換回路３１、イコライザ３２、ＰＬＬ回路３３、ＰＲＭＬ回路３４を介して、ＲＬＬ（１−７）ＰＰ復調部３５及びＲＳ−ＬＤＣデコーダ３６で信号処理される。再生ＲＦ信号は、ＲＬＬ（１−７）ＰＰ復調部３５において、ＰＲ（１，２，１）ＭＬ及びビタビ復号を用いたデータ検出によりＲＬＬ（１−７）符号列としての再生データを得て、このＲＬＬ（１−７）符号列に対してＲＬＬ（１−７）復調処理が行われる。更に、ＲＳ−ＬＤＣデコーダ３６にて誤り訂正及びデインタリーブ処理される。この場合、セレクタ２９は、次世代ＭＤ１・次世代ＭＤ２側が選択され、復調されたデータがミニディスク９０からの再生データとしてデータバッファ３０に出力される。このとき、図５のメモリ転送コントローラ１２に対して復調データが供給される。
【００８０】
ＲＦアンプ２４から出力されるトラッキングエラー信号ＴＥ、フォーカスエラー信号ＦＥは、サーボ回路３７に供給され、グルーブ情報は、ＡＤＩＰデコータ３８に供給される。
【００８１】
ＡＤＩＰデコータ３８は、グルーブ情報に対してバンドパスフィルタにより帯域制限してウォブル成分を抽出した後、ＦＭ復調、バイフェーズ復調を行ってＡＤＩＰアドレスを抽出する。抽出された、ディスク上の絶対アドレス情報であるＡＤＩＰアドレスは、従来ミニディスク及び次世代ＭＤ１の場合であれば、ＭＤアドレスデコーダ３９を介し、次世代ＭＤ２の場合であれば、次世代ＭＤ２アドレスデコーダ４０を介してドライブコントローラ４１に供給される。
【００８２】
ドライブコントローラ４１では、各ＡＤＩＰアドレスに基づいて、所定の制御処理を実行する。またグルーブ情報は、スピンドルサーボ制御のためにサーボ回路３７に戻される。
【００８３】
サーボ回路３７は、例えばグルーブ情報に対して再生クロック（デコード時のＰＬＬ系クロック）との位相誤差を積分して得られる誤差信号に基づき、ＣＬＶサーボ制御及びＺＣＡＶサーボ制御のためのスピンドルエラー信号を生成する。
【００８４】
またサーボ回路３７は、スピンドルエラー信号や、上記のようにＲＦアンプ２４から供給されたトラッキングエラー信号、フォーカスエラー信号、或いはドライブコントローラ４１からのトラックジャンプ指令、アクセス指令等に基づいて各種サーボ制御信号（トラッキング制御信号、フォーカス制御信号、スレッド制御信号、スピンドル制御信号等）を生成し、モータドライバ４２に対して出力する。すなわち、上記サーボエラー信号や指令に対して位相補償処理、ゲイン処理、目標値設定処理等の必要処理を行って各種サーボ制御信号を生成する。
【００８５】
モータドライバ４２では、サーボ回路３７から供給されたサーボ制御信号に基づいて所定のサーボドライブ信号を生成する。ここでのサーボドライブ信号としては、２軸機構を駆動する２軸ドライブ信号（フォーカス方向、トラッキング方向の２種）、スレッド機構を駆動するスレッドモータ駆動信号、スピンドルモータ２１を駆動するスピンドルモータ駆動信号となる。このようなサーボドライブ信号により、ミニディスク９０に対するフォーカス制御、トラッキング制御、及びスピンドルモータ２１に対するＣＬＶ制御又はＺＣＡＶ制御が行われる。
【００８６】
ミニディスク９０に対して記録動作が実行される際には、図５に示したメモリ転送コントローラ１２から高密度データ、或いはオーディオ処理部１９からの通常のＡＴＲＡＣ圧縮データが供給される。
【００８７】
従来ミニディスクに対する記録時には、セレクタ４３が従来ミニディスク側に接続され、ＡＣＩＲＣエンコーダ４４及びＥＦＭ変調部４５が機能する。この場合、オーディオ信号であれば、オーディオ処理部１９からの圧縮データは、ＡＣＩＲＣエンコーダ４４でインタリーブ及びエラー訂正コード付加が行われた後、ＥＦＭ変調部４５においてＥＦＭ変調される。ＥＦＭ変調データがセレクタ４３を介して磁気ヘッドドライバ４６に供給され、磁気ヘッド２３がミニディスク９０に対してＥＦＭ変調データに基づいた磁界印加を行うことで変調されたデータが記録される。
【００８８】
次世代ＭＤ１及び次世代ＭＤ２に対する記録時には、セレクタ４３が次世代ＭＤ１・次世代ＭＤ２側に接続され、ＲＳ−ＬＣＤエンコーダ４７及びＲＬＬ（１−７）ＰＰ変調部４８が機能する。この場合、メモリ転送コントローラ１２から送られた高密度データは、ＲＳ−ＬＣＤエンコーダ４７でインタリーブ及びＲＳ−ＬＤＣ方式のエラー訂正コード付加が行われた後、ＲＬＬ（１−７）ＰＰ変調部４８にてＲＬＬ（１−７）変調される。
【００８９】
ＲＬＬ（１−７）符号列に変調された記録データは、セレクタ４３を介して磁気ヘッドドライバ４６に供給され、磁気ヘッド２３がミニディスク９０に対して変調データに基づいた磁界印加を行うことでデータが記録される。
【００９０】
レーザドライバ／ＡＰＣ４９は、上記のような再生時及び記録時においてレーザダイオードにレーザ発光動作を実行させるが、いわゆるＡＰＣ（Automatic Laser Power Control）動作も行う。具体的には、図示しないが、光学ヘッド２２内には、レーザパワーモニタ用のディテクタが設けられており、このモニタ信号がレーザドライバ／ＡＰＣ４９にフィードバックされるようになっている。レーザドライバ／ＡＰＣ４９は、モニタ信号として得られた現在のレーザパワーを予め設定されているレーザパワーと比較して、その誤差分をレーザ駆動信号に反映させることによって、レーザダイオードから出力されるレーザパワーが設定値で安定化されるように制御している。ここで、レーザパワーは、ドライブコントローラ４１によって、再生レーザパワー及び記録レーザパワーとしての値がレーザドライバ／ＡＰＣ４９内部のレジスタにセットされる。
【００９１】
ドライブコントローラ４１は、システムコントローラ１８からの指示に基づいて、以上の各動作（アクセス、各種サーボ、データ書込、データ読出の各動作）が実行されるように各構成を制御する。なお、図１１において一点鎖線で囲った各部は、１チップの回路として構成することもできる。
【００９２】
ところで、ミニディスク９０が図８のように、予めデータトラック記録領域とオーディオトラック記録領域とが分割して領域設定されている場合、システムコントローラ１８は、記録再生するデータがオーディオトラックかデータトラックかに応じて、設定された記録領域に基づいたアクセスをメディアドライブ部１１のドライブコントローラ４１に指示することになる。また、装着されたミニディスク９０に対して、ＰＣ用のデータ又はオーディオデータの何れか一方のみを記録許可し、これ以外のデータの記録を禁止する制御を行うようにもできる。すなわち、ＰＣ用のデータとオーディオデータとを混在しないように制御することもできる。
【００９３】
上述した仕様をもつミニディスク９０に対してデータ記録再生装置１にてコンテンツデータを記録再生するときの管理方式の一例について、具体的に説明する。
【００９４】
図１２は、オーディオデータの管理方式の一例を示したものである。図１２に示すように、ディスク上には、トラックインフォメーションファイルと、オーディオデータファイルとが生成される。トラックインフォメーションファイル及びオーディオデータファイルは、ＦＡＴシステムで管理されるファイルである。トラックインフォメーションファイルは、コンテンツデータに関する暗号化情報に相当する。なお、図１２に示す管理構造には、次世代ＭＤ１及び次世代ＭＤ２に特徴的なセキュリティ情報及びコンテンツ世代管理情報のファイルも含まれている。セキュリティ情報及びコンテンツ世代管理情報としては、記録媒体の記録再生装置であるセット毎の再生許可情報としてのＥＫＢ（Enabling Key Block）、コンテンツの改竄チェック情報としてのトラックＭＡＣ等がある。
【００９５】
オーディオデータファイルは、図１３に示すように、複数の音楽データが１つのファイルとして納められたものであり、ＦＡＴシステムでオーディオデータファイルをみると、巨大なファイルに見える。オーディオデータファイルに含まれるオーディオブロックは、複数で１つのトラックを形成している。オーディオデータファイルは、その内部がパーツとして区切られ、オーディオデータはパーツの集合として扱われる。このパーツの区切りとトラックの区切りとは必ずしも一致しない。
【００９６】
図１２に示すトラックインフォメーションファイルは、オーディオデータファイルに納められた音楽データを管理するための各種の情報が記述されたファイルである。トラックインフォメーションファイルは、図１４に示すように、プレイオーダテーブルと、プログラムドプレイオーダテーブルと、グループインフォメーションテーブルと、トラックインフォメーションテーブルと、パーツインフォメーションテーブルと、ネームテーブルとからなる。
【００９７】
プレイオーダテーブルは、デフォルトで定義された再生順序を示すテーブルである。プレイオーダテーブルは、図１５に示すように、各トラックナンバ（曲番）についてのトラックインフォメーションテーブルのトラックデスクリプタ（図１９）へのリンク先を示す情報ＩＮＦ１、ＩＮＦ２、・・・が格納されている。トラックナンバは、例えば「１」から始まる連続したナンバである。
【００９８】
プログラムドプレイオーダテーブルは、再生手順を各ユーザが定義したテーブルである。プログラムドプレイオーダテーブルには、図１６に示すように、各トラックナンバについてのトラックデスクリプタへのリンク先の情報トラック情報ＰＩＮＦ１、ＰＩＮＦ２、・・・が記述されている。グループインフォメーションテーブルには、図１７、図１８に示すように、グループに関する情報が記述されている。グループは、連続したトラックナンバをもつ１ つ以上のトラックの集合、又は連続したプログラムドトラックナンバをもつ１ つ以上のトラックの集合である。グループインフォメーションテーブルは、図１７に示すように、各グループのグループデスクリプタで記述されている。グループデスクリプタには、図１７に示すように、そのグループが開始されるトラックナンバと、終了トラックのナンバと、グループネームと、フラグが記述される。
【００９９】
トラックインフォメーションテーブルは、図１９、図２０に示すように、各曲に関する情報が記述される。トラックインフォメーションテーブルは、図１９に示すように、各トラック毎（各曲毎）のトラックデスクリプタからなる。各トラックデスクリプタには、図２０に示すように、符号化方式、著作権管理情報、コンテンツの復号鍵情報、その楽曲が開始するエントリとなるパーツナンバへのポインタ情報、アーチストネーム、タイトルネーム、元曲順情報、録音時間情報等が記述されている。アーチストネーム、タイトルネームは、ネームそのものではなく、ネームテーブルへのポインタ情報が記述されている。符号化方式は、コーデックの方式を示すもので、復号情報となる。
【０１００】
パーツインフォメーションテーブルは、図２１、図２２に示すように、パーツナンバから実際の楽曲の位置をアクセスするポインタが記述されている。パーツインフォメーションテーブルは、図２１に示すように、各パーツ毎のパーツデスクリプタからなる。パーツとは、１トラック（楽曲）の全部、又は１トラックを分割した各パーツである。パーツデスクリプタのエントリは、トラックインフォメーションテーブル（図２０）により指し示される。各パーツデスクリプタは、図２２に示すように、オーディオデータファイル上のそのパーツの先頭のアドレスと、そのパーツの終了のアドレスと、そのパーツに続くパーツへのリンク先とが記述される。
【０１０１】
なお、パーツナンバのポインタ情報、ネームテーブルのポインタ情報、オーディオファイルの位置を示すポインタ情報として用いるアドレスとしては、ファイルのバイトオフセット、ＦＡＴのクラスタナンバ、記録媒体として用いられるディスクの物理アドレス等を用いることができる。
【０１０２】
ネームテーブルは、ネームの実体となる文字を表すためのテーブルである。ネームテーブルは、図２３に示すように、複数のネームスロットからなる。各ネームスロットは、ネームを示す各ポインタからリンクされて呼び出される。ネームを呼び出すポインタは、トラックインフォメーションテーブルのアーチストネーム、タイトルネーム、グループインフォメーションテーブルのグループネーム等がある。また、各ネームスロットは、複数から呼び出されることが可能である。各ネームスロットは、図２４に示すように、文字情報であるネームデータと、この文字情報の属性であるネームタイプと、リンク先とからなる。１つのネームスロットで収まらないような長いネームは、複数のネームスロットに分割して記述することが可能である。そして、１つのネームスロットで収まらない場合には、それに続くネームが記述されたネームスロットへのリンク先が記述される。
【０１０３】
この発明が適用されたシステムにおけるオーディオデータの管理方式の一例では、図２５に示すように、プレイオーダテーブル（図１５）により、再生するトラックナンバが指定されると、トラックインフォメーションテーブルのリンク先のトラックデスクリプタ（図１９）が読み出され、このトラックデスクリプタから、符号化方式、著作権管理情報、コンテンツの復号鍵情報、その楽曲が開始するパーツナンバへのポインタ情報、アーチストネーム及びタイトルネームのポインタ、元曲順情報、録音時間情報等が読み出される。
【０１０４】
トラックインフォメーションテーブルから読み出されたパーツナンバの情報から、パーツインフォメーションテーブル（図２１及び図２２）にリンクされ、このパーツインフォメーションテーブルから、そのトラック（楽曲）の開始位置に対応するパーツの位置のオーディオデータファイルがアクセスされる。オーディオデータファイルのパーツインフォメーションテーブルで指定される位置のパーツのデータがアクセスされたら、その位置から、オーディオデータの再生が開始される。このとき、トラックインフォメーションテーブルのトラックデスクリプタから読み出された符号化方式に基づいて復号化が行われる。オーディオデータが暗号化されている場合には、トラックデスクリプタから読み出された鍵情報が使われる。
【０１０５】
そのパーツに続くパーツがある場合には、そのパーツのリンク先にはパーツデスクリプタが記述されており、このリンク先にしたがってパーツデスクリプタが順に読み出される。このパーツデスクリプタのリンク先を辿り、オーディオディデータファイル上で、そのパーツデスクリプタで指定される位置にあるパーツのオーディオデータを再生していくことにより所望のトラック（楽曲）のオーディオディオデータが再生できる。また、トラックインフォメーションテーブルから読み出されたアーチストネーム又はタイトルネームのポインタにより指し示される位置にあるネームテーブルのネームスロット（図２３及び図２４）が呼び出され、その位置にあるネームスロットからネームデータが読み出される。
【０１０６】
なお、前述したように、ネームテーブルのネームスロットは、複数参照が可能である。例えば、同一のアーチストの楽曲を複数記録するような場合がある。この場合、図２６に示すように、複数のトラックインフォメーションテーブルからアーチストネームとして同一のネームテーブルが参照される。図２６の例では、トラックデスクリプタ「１」とトラックデスクリプタ「２」とトラックデスクリプタ「４」は、全て同一のアーチスト「ＤＥＦ  ＢＡＮＤ」の楽曲であり、アーチストネームとして同一のネームスロットを参照している。また、トラックデスクリプタ「３」とトラックデスクリプタ「５」とトラックデスクリプタ「６」は、全て同位置のアーチスト「ＧＨＱ  ＧＩＲＬＳ」の楽曲であり、アーチストネームとして同一のネームスロットを参照している。このように、ネームテーブルのネームスロットを複数のポインタから参照可能にしておくと、ネームテーブルの容量を節約できる。
【０１０７】
これとともに、例えば、同一のアーチストネームの情報を表示するのに、このネームテーブルへのリンクが利用できる。例えば、アーチスト名が「ＤＥＦ  ＢＡＮＤ」の楽曲の一覧を表示したいような場合には、「ＤＥＦ  ＢＡＮＤ」のネームスロットのアドレスを参照しているトラックデスクリプタが辿られる。この例では、「ＤＥＦ  ＢＡＮＤ」のネームスロットのアドレスを参照しているトラックデスクリプタを辿ることにより、トラックデスクリプタ「１」とトラックデスクリプタ「２」とトラックデスクリプタ「４」の情報が得られる。これにより、このディスクに納められている楽曲の中で、アーチスト名が「ＤＥＦ  ＢＡＮＤ」の楽曲の一覧が表示できる。なお、ネームテーブルは複数参照が可能とされるため、ネームテーブルからトラックインフォメーションテーブルを逆に辿るリンクは設けられていない。
【０１０８】
新たにオーディオデータを記録する場合には、ＦＡＴテーブルにより、所望の数のレコーディングブロック以上、例えば、４つのレコーディングブロック以上連続した未使用領域が用意される。所望のレコーディングブロック以上連続した領域を確保するのは、なるべく連続した領域にオーディオデータを記録した方がアクセスに無駄がないためである。
【０１０９】
オーディオデータを記録するための領域が用意されたら、新しいトラックデスクリプションがトラックインフォメーションテーブル上に１つ割り当てられ、このオーディオデータを暗号化するためのコンテンツの鍵が生成される。そして、入力されたオーディオデータが暗号化され、用意された未使用領域に、暗号化されたオーディオデータが記録される。このオーディオデータが記録された領域がＦＡＴのファイルシステム上でオーディオデータファイルの最後尾に連結される。
【０１１０】
新たなオーディオデータがオーディオデータファイルに連結されたのに伴い、この連結された位置の情報が作成され、新たに確保されたパーツデスクリプションに、新たに作成されたオーディオデータの位置情報が記録される。そして、新たに確保されたトラックデスクリプションに、鍵情報やパーツナンバが記述される。更に、必要に応じて、ネームスロットにアーチストネームやタイトルネーム等が記述され、トラックデスクリプションに、そのネームスロットにアーチストネームやタイトルネームにリンクするポインタが記述される。そして、プレイオーダーテーブルに、そのトラックデスクリプションのナンバが登録される。また著作権管理情報が更新される。
【０１１１】
オーディオデータを再生する場合には、指定されたトラックナンバに対応する情報がプレイオーダーテーブルから求められ、再生すべきトラックのトラックデスクリプタが取得される。
【０１１２】
トラックインフォメーションテーブルのそのトラックデスクリプタから、鍵情報が取得され、また、エントリのデータが格納されている領域を示すパーツデスクリプションが取得される。所望のオーディオデータが格納されているパーツの先頭のオーディオデータファイル上の位置がそのパーツデスクリプションから取得され、その位置に格納されているデータが取り出される。そして、その位置から再生されるデータに対して、取得された鍵情報を用いて暗号が解読され、オーディオデータの再生がなされる。パーツデスクリプションにリンクがある場合には、指定されてパーツにリンクされて、同様の手順が繰り返される。
【０１１３】
プレイオーダテーブル上で、トラックナンバ「ｎ」であった楽曲をトラックナンバ「ｎ＋ｍ」に変更する場合には、プレイオーダテーブル内のトラック情報ＴＩＮＦｎからそのトラックの情報が記述されているトラックデスクリプションＤｎが得られる。トラック情報ＴＩＮＦｎ＋１からＴＩＮＦｎ＋ｍの値（トラックデスクリプションナンバ）が全て１つ前に移動される。そして、トラック情報ＴＩＮＦｎ＋ｍに、トラックデスクリプションＤｎのナンバが格納される。
【０１１４】
プレイオーダテーブルで、トラックナンバ「ｎ」であった楽曲を削除する場合には、プレイオーダテーブル内のトラック情報ＴＩＮＦｎからそのトラックの情報が記述されているトラックデスクリプタＤｎが取得される。プレイオーダテーブル内のトラック情報ＴＩＮＦｎ＋１から後の有効なトラックデスクリプタナンバが全て１つ前に移動される。取得されたトラックデスクリプタＤｎからトラックインフォメーションテーブルで、そのトラックに対応する符号化方式、復号鍵が取得されるとともに、先頭の音楽データが格納されている領域を示すパーツデスクリプタＰｎのナンバが取得される。パーツデスクリプタＰｎによって指定された範囲のオーディオブロックがＦＡＴのファイルシステム上で、オーディオデータファイルから切り離される。更に、このトラックインフォメーションテーブルのそのトラックのトラックデスクリプタＤｎが消去される。
【０１１５】
例えば、図２７において、パーツＡ、パーツＢ、パーツＣはそれまで連結しており、その中からパーツＢを削除するものとする。パーツＡ及びパーツＢは、同じオーディオブロックを（且つ同じＦＡＴクラスタを）共有しており、ＦＡＴチェーンが連続しているとする。パーツＣは、オーディオデータファイルの中ではパーツＢの直後に位置しているがＦＡＴテーブルを調べると、実際には離れた位置にあるとする。
【０１１６】
この例の場合には、図２８に示すように、パーツＢを削除したときに、実際にＦＡＴチェーンから外す（空き領域に戻す）ことができるのは、現行のパーツとクラスタを共有していない、２つのＦＡＴクラスタである。すなわち、オーディオデータファイルとしては４オーディオブロックに短縮される。パーツＣ及びそれ以降にあるパーツに記録されているオーディオブロックのナンバは、これに伴い全て４だけ小さくなる。
【０１１７】
なお、削除は、１トラック全てではなく、そのトラックの一部に対して行うことができる。トラックの一部が削除された場合には、残りのトラックの情報は、トラックインフォメーションテーブルでそのパーツデスクリプタＰｎから取得されたそのトラックに対応する符号化方式、復号鍵を使って復号することが可能である。
【０１１８】
プレイオーダテーブル上のトラックｎとトラックｎ＋１とを連結する場合には、プレイオーダテーブル内のトラック情報ＴＩＮＦｎからそのトラックの情報が記述されているトラックデスクリプタナンバＤｎが取得される。また、プレイオーダテーブル内のトラック情報ＴＩＮＦｎ＋１からそのトラックの情報が記述されているトラックデスクリプタナンバＤｍが取得される。プレイオーダテーブル内のＴＩＮＦｎ＋１から後の有効なＴＩＮＦの値（トラックデスクリプタナンバ）が全て１つ前のＴＩＮＦに移動される。プログラムドプレイオーダテーブルを検索して、トラックデスクリプタＤｍを参照しているトラックが全て削除される。新たな暗号化鍵を発生させ、トラックデスクリプタＤｎからパーツデスクリプタのリストが取り出され、そのパーツデスクリプタのリストの最後尾に、トラックデスクリプタＤｍから取り出したパーツデスクリプタのリストが連結される。
【０１１９】
トラックを連結する場合には、双方のトラックデスクリプタを比較して、著作権管理上問題のないことを確認し、トラックデスクリプタからパーツデスクリプタを得て、双方のトラックを連結した場合にフラグメントに関する規定が満たされるかどうか、ＦＡＴテーブルで確認する必要がある。また、必要に応じて、ネームテーブルへのポインタの更新を行う必要がある。
【０１２０】
トラックｎをトラックｎとトラックｎ＋１に分割する場合には、プレイオーダテーブル内のＴＩＮＦｎからそのトラックの情報が記述されているトラックデスクリプタナンバＤｎが取得される。プレイオーダテーブル内のトラック情報ＴＩＮＦｎ＋１からそのトラックの情報が記述されているトラックデスクリプタナンバＤｍ取得される。そして、プレイオーダテーブル内のＴＩＮＦｎ＋１から後の有効なトラック情報ＴＩＮＦの値（トラックデスクリプタナンバ）が全て１つ後に移動される。トラックデスクリプタＤｎについて、新しい鍵が生成される。トラックデスクリプタＤｎからパーツデスクリプタのリストが取り出される。新たなパーツデスクリプタが割り当てられ、分割前のパーツデスクリプタの内容がそこにコピーされる。分割点の含まれるパーツデスクリプタが分割点の直前までに短縮される。また分割点以降のパーツデスクリプタのリンクが打ち切られる。新たなパーツデスクリプタが分割点の直後に設定される。
【産業上の利用可能性】
【０１２１】
本発明は、大容量記録が可能であって暗号化記録等により複雑化した管理データを有するファイルフォーマットを有する記録媒体を扱うことのできる装置であれば適用可能である。
【図面の簡単な説明】
【０１２２】
【図１】本発明の具体例として示すデータ記録再生装置の概略を説明する図である。
【図２】上記データ記録再生装置においてデータを編集又は更新するときの処理を説明する図である。
【図３】上記データ記録再生装置におけるディスク読込時のファイル更新処理を説明する図である。
【図４】上記データ記録再生装置におけるディスク書込時のファイル更新処理を説明する図である。
【図５】本発明の具体例として示す次世代ＭＤ１及び次世代ＭＤ２に対して互換性を有して記録再生を行うデータ記録再生装置を説明する構成図である。
【図６】本発明の具体例として示す次世代ＭＤ１のディスク盤面上のエリア構成を説明する模式図である。
【図７】本発明の具体例として示す次世代ＭＤ２のディスク盤面上のエリア構成を説明する模式図である。
【図８】本発明の具体例として示す次世代ＭＤ１のディスクにオーディオデータとＰＣ用データとを混在記録した場合の盤面上のエリア構成を説明する模式図である。
【図９】本発明の具体例として示す次世代ＭＤ１のデータ管理構造を説明する模式図である。
【図１０】本発明の具体例として示す次世代ＭＤ２のデータ管理構造を説明する模式図である。
【図１１】上記データ記録再生装置のメディアドライブ部を説明する構成図である。
【図１２】オーディオデータの管理方式の一例を説明する図である。
【図１３】オーディオデータの管理方式の一例によるオーディオファイルを説明する図である。
【図１４】オーディオデータの管理方式の一例によるトラックインフォメーションファイルを説明する図である。
【図１５】オーディオデータの管理方式の一例によるプレイオーダテーブルを説明する図である。
【図１６】オーディオデータの管理方式の一例によるプログラムドプレイオーダテーブルを説明する図である。
【図１７】オーディオデータの管理方式の一例によるグループインフォメーションテーブルを説明する図である。
【図１８】オーディオデータの管理方式の一例によるグループインフォメーションテーブルを説明する図である。
【図１９】オーディオデータの管理方式の一例によるトラックインフォメーションテーブルを説明する図である。
【図２０】オーディオデータの管理方式の一例によるトラックインフォメーションテーブルを説明する図である。
【図２１】オーディオデータの管理方式の一例によるパーツインフォメーションを説明する図である。
【図２２】オーディオデータの管理方式の一例によるパーツインフォメーションを説明する図である。
【図２３】オーディオデータの管理方式の一例によるネームテーブルを説明する図である。
【図２４】オーディオデータの管理方式の一例によるネームテーブルを説明する図である。
【図２５】オーディオデータの管理方式の一例を説明する図である。
【図２６】オーディオデータの管理方式の一例による各ネームスロットが複数参照可能であることを説明する図である。
【図２７】オーディオデータの管理方式の一例においてオーディオデータファイルからパーツを削除する処理を説明する図である。
【図２８】オーディオデータの管理方式の一例においてオーディオデータファイルからパーツを削除する処理を説明する図である。
【符号の説明】
【０１２３】
１    データ記録再生装置，  １１    メディアドライブ部，  １２    メモリ転送コントローラ，  １３    クラスタバッファメモリ，  １４    読出用補助メモリ，  １５，１６    ＵＳＢインタフェース，  １７    ＵＳＢハブ，  １８    システムコントローラ，  １９    音声データ処理部，  ２０    書込用補助メモリ
【図１】
2005196879.tif 000003
【図２】
2005196879.tif 000004
【図３】
2005196879.tif 000005
【図４】
2005196879.tif 000006
【図５】
2005196879.tif 000007
【図６】
2005196879.tif 000008
【図７】
2005196879.tif 000009
【図８】
2005196879.tif 000010
【図９】
2005196879.tif 000011
【図１０】
2005196879.tif 000012
【図１１】
2005196879.tif 000013
【図１２】
2005196879.tif 000014
【図１３】
2005196879.tif 000015
【図１４】
2005196879.tif 000016
【図１５】
2005196879.tif 000017
【図１６】
2005196879.tif 000018
【図１７】
2005196879.tif 000019
【図１８】
2005196879.tif 000020
【図１９】
2005196879.tif 000021
【図２０】
2005196879.tif 000022
【図２１】
2005196879.tif 000023
【図２２】
2005196879.tif 000024
【図２３】
2005196879.tif 000025
【図２４】
2005196879.tif 000026
【図２５】
2005196879.tif 000027
【図２６】
2005196879.tif 000028
【図２７】
2005196879.tif 000029
【図２８】
2005196879.tif 000030